(57)【特許請求の範囲】
【請求項１】
水又は湯を充満した貯水槽の上部開口部に防水性の可撓性シートを張設し、貯水槽の内部から可撓性シートに向けてジェット噴射して可撓性シートに横臥した人体を可撓性シートを介して押圧してマッサージ効果を付与するように構成したウォーターベッドにおいて、貯水槽の槽ケースの前後に架設した前後ワイヤローラに回動ワイヤを張設し、モータにより長手状の貯水槽の前後に張設した回動ワイヤを回動操作することにより、回動ワイヤの中途に取り付けたノズル基台を貯水槽の長手方向に沿って基台レール上を移動自在とする機構と、電動機の出力部と左右の横移動体との間に操作ワイヤを架設し、電動機の出力部には貯水槽後端部の第１ローラを連動連結し、貯水槽前端部には第２ローラを軸架し、ノズル基台の外側縁に第１第２ロープ転換ローラを軸支し、ノズル基台の中央の反対側縁中央に折返しローラを軸支し、これらのローラを操作ワイヤで連通懸架し、第１ロープ転換ローラと折返しローラの中途に右横移動体を介在連結し、第２ロープ転換ローラと折返しローラの中途に左横移動体を介在連結し、電動機の回転方向に連動して左右の横移動体は操作ワイヤを介し調時して近接離反自在とする機構と、当該機構をノズル基台に搭載し、前記横移動体に噴射ホースを有した噴射ノズルを装着することにより直交ノズル機構を構成し、前記噴射ノズルを貯水槽の長手方向に移動自在とすると共に、左右に近接離反自在に構成したことを特徴とするウォーターベッド構造。
【発明の詳細な説明】
【技術分野】
【０００１】
この発明は、マッサージ効果を最も効率よく発揮できるように構成したウォーターベッド構造に関する。
【背景技術】
【０００２】
従来、ウォーターベッドは、水又は湯を満たした貯水槽の上部開口部を防水性の可撓性シートを張設しその内部から可撓性シートに向かって水又は湯を噴射することにより可撓性シート上に横臥した人体を可撓性シートを介して押圧することによりマッサージ効果を奏するように構成したものであった。
【０００３】
かかるウォーターベッドにおいて最も重要な点は、マッサージ効果を最大に発揮するためにジェット噴射を如何に効果的に行うかである。
【０００４】
そのために、ジェット噴射するためのノズルを人体の頭部近傍から足方向に向かって往復運動しながらその過程で一定の円弧運動もするように構成して単なる縦方向の直線的な単純指圧ではなく人体局部周辺にできるだけ万遍なく噴射圧を及ぼすようにしたものがある（例えば、特許文献１、２参照。）。
【０００５】
かかる従来の発明は、円弧運動を主体とした指圧マッサージ治療を目的としたものであり、その構造は図５に示すように噴射ノズル５５を左右噛合したギヤ５７に取付け半円弧運動しながら人体の身長に沿って直線移動するように構成したものであり、例えば左右のギヤの噛み合わせによりノズルに離反、近接の半回転変位を与えて人体局部周辺に万遍なく噴射圧を及ぼすように構成したものである。
【先行技術文献】
【特許文献】
【０００６】
【特許文献１】特開２００３−２６０１０３号公報
【特許文献２】特開平８−２５２２９３号公報
【発明の概要】
【発明が解決しようとする課題】
【０００７】
しかし、かかるギヤを利用した発明は、いわゆる「つぼ」と言われる指圧局所が脊椎の左右に点在して存在しているために半円弧状のノズルの動きは「つぼ」の一点でしか該当しないことになり、指圧効果は半減し指圧マッサージの感覚を常時持続させることができないという欠点があった。
【課題を解決するための手段】
【０００８】
この発明は、水又は湯を充満した貯水槽の上部開口部に防水性の可撓性シートを張設し、貯水槽の内部から可撓性シートに向けてジェット噴射して可撓性シートに横臥した人体を可撓性シートを介して押圧してマッサージ効果を付与するように構成したウォーターベッドにおいて、
貯水槽の槽ケースの前後に架設した前後ワイヤローラに回動ワイヤを張設し、モータにより長手状の貯水槽の前後に張設した回動ワイヤを回動操作することにより、回動ワイヤの中途に取り付けたノズル基台を貯水槽の長手方向に沿って基台レール上を移動自在とする機構と、電動機の出力部と左右の横移動体との間に操作ワイヤを架設し、電動機の出力部には貯水槽後端部の第１ローラを連動連結し、貯水槽前端部には第２ローラを軸架し、ノズル基台の外側縁に第１第２ロープ転換ローラを軸支し、ノズル基台の中央の反対側縁中央に折返しローラを軸支し、これらのローラを操作ワイヤで連通懸架し、第１ロープ転換ローラと折返しローラの中途に右横移動体を介在連結し、第２ロープ転換ローラと折返しローラの中途に左横移動体を介在連結し、電動機の回転方向に連動して左右の横移動体は操作ワイヤを介し調時して近接離反自在とする機構と、当該機構をノズル基台に搭載し、前記横移動体に噴射ホースを有した噴射ノズルを装着することにより直交ノズル機構を構成し、前記噴射ノズルを貯水槽の長手方向に移動自在とすると共に、左右に近接離反自在に構成したことを特徴とするウォーターベッド構造を提供するものである。
【発明の効果】
【０００９】
本発明によれば、貯水槽の槽ケースに架設した前後ワイヤローラに回動ワイヤを張設し、槽ケース外部の電動機により回動ワイヤを回動操作することにより、前記ノズル基台を貯水槽の長手方向に沿って基台レール上を移動自在とする機構と、前記電動機の回転方向に連動して左右の横移動体は操作ワイヤを介し調時して近接離反自在とする機構と、当該機構をノズル基台に搭載し、前記横移動体に噴射ノズルを装着することにより、貯水槽の長手方向に移動自在、左右に近接離反自在の移動動作をする噴射ノズルを実現している。
【００１０】
これにより、噴射ノズルは横臥した人体の長手方向に沿って移動しながら同時に、或いは一旦停止状態で横方向にも直線的に移動することができ、人体の脊椎の両側に直線的にノズルの噴射圧を当てることができる。従って、人体の脊椎の両側に点在する各種のいわゆる「つぼ」に所望の時間、スポット的にマッサージ効果を及ぼすことができることになり、従来十分にできなかった脊椎両側や首筋周辺の「つぼ」の刺激を持続的にかつ適確に施術することができる効果がある。
【００１１】
特に、本発明は、横移動体の移動機構が操作ワイヤにより構成されているため、原動機（電動機）などの動力源から横移動体に至る連動機構がローラとワイヤのみになるため、動力源のトルクが中途機構の摩擦抵抗や連動タイミング等によるトルク消失を招くことが可及的に低減し、動力源からのトルクを効率良く横移動体の転動に反映することができると共に、操作ワイヤを使用するためギヤ形状の連動機構と比較してコスト上有利となり機構的にも簡素化でき、故障の発生も可及的に低減することができ、更には動力源から操作ワイヤ及び横移動体に直接にトルクを伝動するものであるため移動即応性が高く、その分人体のつぼへの変位対応性が良好となる。例えば、ギヤ構造によるトルク伝動の場合には、横移動体が作動するまでに要する時間を操作ワイヤと対比すると、同一トルクの場合は多くの時間を要し、横移動体の作動時間を操作ワイヤと同じにするためには操作ワイヤよりも大きなトルクを回転軸に要する。
【００１２】
従って、同じトルクで横移動体を作動させる場合の両者のタイムラグは決められた時間内での加療時間において人体のつぼを加圧、マッサージする本来の治療時間に差を生起し、操作ワイヤ以外のギヤ構造の場合は、本来の加療時間が少なくなりマッサージ等の治療効果が異なる欠点を有していたが、操作ワイヤによる連動機構とすることによりかかる欠点を解消し得る効果を有する。
【００１３】
更には、電動機が槽ケースの外部に配置されているために貯水槽内の空間を有効に使用することができ、また電動機の防水施工も不要となり構造的にも有利である。
【００１４】
更には、回動ワイヤによる長手方向の変位作動と操作ワイヤとローラによる左右の横移動体の横移動とを組合わせて作動制御することにより水平直線や傾斜直線等の噴射ノズルの動きを実現し、多様な形態で症状に合致した指圧マッサージ効果を奏することができる。
【００１５】
また、本発明によれば、左右の噴射ノズルは左右の横移動体に装着し、左右の横移動体はノズル基台に敷設した基台レールに摺動自在に載置したために簡単な構造により噴射ノズルは安定して確実に直線移動を行うことができる効果がある。
【図面の簡単な説明】
【００１６】
【図１】本発明のウォーターベッド構造を示す平面図である。
【図２】図１におけるＩ−Ｉ線断面視図である。
【図３】図１における要部の構造を示す斜視図である。
【図４】図１における要部の構造を示す模式説明図である。
【図５】従来の噴射ノズルの構造を示す説明図である。
【発明を実施するための形態】
【００１７】
この発明を図面に基づき詳説すれば、図１は本発明のウォーターベッド構造を示す平面図であり、図２は図１におけるＩ−Ｉ線断面視図であり、図３は図１における要部の構造を示す斜視図、図４は図１における要部の構造を示す模式説明図である。
【００１８】
本発明のウォーターベッド構造に関するウォーターベッドＡは、図１、２に示すように、水又は湯を充満した貯水槽１の上部開口部３ａに防水性の可撓性シート５を張設しており、貯水槽１の内部には噴射ホース４１がそれぞれ連通され、噴射ホース４１基端は槽ケース３に固定されて外部から水又は湯を可撓性シート５に向けて噴射可能に構成した左右の噴射ノズル３５がノズル基台１５に搭載された左右の横移動体の装着されており、可撓性シート５に横臥した人体の所要のいわゆる「つぼ」に噴射圧をかけて可撓性シート５を介して「つぼ」にマッサージ施術を行うことができるように構成されている。
【００１９】
この発明は上記のように構成されており、次に、その施術の手順を説明する。
まず、貯水槽１に水又は湯を充満させると共に上方に張設した可撓性シート５に人体を横臥させる。次いでモータ５１により回動ワイヤ７０を回転作動することにより回動ワイヤ７０に連結されたノズル基台１５は人体の長手方向に沿って縦移動する。
【００２０】
同時に電動機５３を回転させれば、ノズル基台１５に搭載された、複数の転換ローラ８３、８４や折返しローラ８５とこれらに懸架した操作ワイヤ８０から構成された左右の横移動体２５、２５を近接離反自在とする機構により、電動機５３の回転方向に連動して左右の横移動体２５、２５は操作ワイヤ８０を介し調時して横移動体２５、２５に装着された噴射ノズル３５と共に離反、近接の作動を行う。
【００２１】
しかも、制御部の操作により回動ワイヤ７０の回動速度と横移動体２５、２５の移動速度とを制御することにより噴射ノズル３５の縦方向及び横方向の移動形態制御を行い多様な指圧効果を実現できる。
【００２２】
詳しくは、図１、２に示すように、モータ５１により、長手状の貯水槽１の前後に張設した回動ワイヤ７０を回動操作することにより、回動ワイヤ７０の中途に取り付けたノズル基台１５を貯水槽１の長手方向に沿って基台レール１０上を移動自在としている。
【００２３】
回動ワイヤ７０は、貯水槽１の前後に架設した前後ワイヤローラ７１、７２に懸架されており、特にモータ５１の出力部に直結した前ワイヤローラ７１には、回動ワイヤ７０の中途部を数回巻回重複しワイヤ全長の延長部分を余剰の巻回状態としており、これは回動ワイヤ７０を一定の弛緩状態とすることによりモータ５１の駆動力が直接に回動ワイヤ７０の張力を介して、ノズル基台１５に移動衝撃を与えることを防止するためと、正逆回転する前ワイヤローラ７１によって回動ワイヤ７０が前後に回動する前ワイヤローラ７１のみでノズル基台１５を前後に摺動可能とするためである。
【００２４】
回動ワイヤ７０の両端はノズル基台１５の前端７３と後端７４に固定連設されている。
従って、モータ５１の左右回転駆動により前ワイヤローラ７１を左右に回転することにより回動ワイヤ７０は前後方向に巻き取られることになり、回動ワイヤ７０の前後方向への巻取によってノズル基台１５は前方向或いは後方向へ移動する。なお、１０はノズル基台１５の前後摺動ガイドする基台レールを示し、貯水槽１の底部に左右二本敷設されており、ノズル基台１５の底部には、基台レール１０と遊嵌する複数（例えば、４個）の転動子７５が垂設されている。
【００２５】
上記のような構成により、モータ５１の正逆回転制御により前ワイヤローラ７１を正逆回転させて前ワイヤローラ７１に幾重にも巻回した回動ワイヤ７０を、前方向或いは後方向に回動させて回動ワイヤ７０に連結固定したノズル基台１５を前後進させる。
【００２６】
次に、ノズル基台１５上には近接、離反自在に横摺動する左右の横移動体２５、２５が搭載されており、かかる横移動体２５、２５の近接離反作動は次のように行われる。すなわち、電動機５３の出力部と左右の横移動体２５、２５との間には操作ワイヤ８０が架設されており、電動機５３の出力部には、貯水槽１の後端部一側方に横方向に軸架した第１ローラ８１が連動連結されており、貯水槽１の前端部一側方には第２ローラ８２が横方向に軸架されており、ノズル基台１５の外側縁には、一定間隔の前後に縦向きの第１、第２ロープ転換ローラ８３、８４が軸支されており、ノズル基台１５の反対側縁中央には縦向きの折返しローラ８５が軸支されている。
【００２７】
そして、第１、第２ローラ８１、８２と第１、第２ロープ転換ローラ８３、８４と折返しローラ８５との間には一本の操作ワイヤ８０が懸架されており、その中途部、すなわち、第１ロープ転換ローラ８３と折返しローラ８５との間に懸架した操作ワイヤ８０の中途部には右側の横移動体２５が介在連結されており、第２ロープ転換ローラ８４と折返しローラ８５との間に懸架した操作ワイヤ８０の中途部には左側の横移動体２５が介在連結されている。
【００２８】
上記のように操作ワイヤ８０は次の各部位より構成されている。すなわち、第１ローラ８１と第２ローラ８２との間の離反用引張り部位８０ａと、第２ローラ８２と第１ロープ転換ローラ８３との間の従動部位８０ｂと、第１ロープ転換ローラ８３と折返しローラ８５との間の離反部位８０ｃと、折返しローラ８５と第２ロープ転換ローラ８４との間の近接部位８０ｄと、第２ロープ転換ローラ８４と第１ローラ８１との間の近接用引張り部位８０ｅとにより構成されている。
【００２９】
そして、横移動体２５、２５の近接離反操作は次のような手順で行われる。すなわち、電動機５３を一定方向（横移動体２５、２５の離反方向）に回転させると、第１ローラ８１の回転を介して、第１ローラ８１に巻取り巻回された操作ワイヤ８０、すなわち、第１ローラ８１と第２ローラ８２間の離反用引張り部位８０ａが第１ローラ８１に巻き取られて引っ張られると共に、第２ローラ８２によって折り返されて従動部位８０ｂも引っ張られる。
【００３０】
従動部位８０ｂが引っ張られると、第１ロープ転換ローラ８３で略直角方向に転換伸延した離反部位８０ｃも引っ張られてその中途に介在連結した横移動体２５も外側方向、すなわち、離反方向に引張り移動される。離反部位８０ｃの一端部位は折返しローラ８５で反対方向に折り返されて近接部位８０ｄへ伸延し、近接部位８０ｄの引張によりその中途に介在連結した横移動体２５が外側方向、すなわち、離反方向に引張り移動される。このようにして左右二個の横移動体２５、２５は操作ワイヤ８０を介し調時して離反方向に移動することになる。
【００３１】
他方、電動機５３を一定方向、すなわち、横移動体２５、２５の近接方向に回転させれば第１ローラ８１と第２ロープ転換ローラ８４との間の近接用引張り部位８０ｅが引っ張られ、その先端部位は第２ロープ転換ローラ８４により略直角に転換されて近接部位８０ｄを引っ張ることになる。従って近接部位８０ｄに介在連結した一方の横移動体２５も内側方向、すなわち、近接方向に移動する。しかも、近接部位８０ｄの先端部位は折返しローラ８５で折り返されて離反部位８０ｃに至るため、近接部位８０ｄの中途に介在連結した他方の横移動体２５も内側方向、すなわち、近接方向に移動する。このようにして、左右二個の横移動体２５、２５は操作ワイヤ８０を介して調時して近接方向に移動する。
【００３２】
以上のように、電動機５３の正逆転操作を行うことにより左右二個の横移動体２５、２５は操作ワイヤ８０を介してノズル基台１５上で左右方向に近接離反移動する。横移動体２５、２５の近接離反移動により噴射ノズル３５も左右に移動し、各種の人体部位への指圧、マッサージ機能を果す。なお、各横移動体２５、２５の前後縁部には、それぞれ二個ずつの滑動転子８６を縦方向に軸支しており、ノズル基台１５の前後縁部には断面略コ字状の前後レール８７、８７を敷設しており、滑動転子８６は前後レール８７、８７に遊嵌して二個の横移動体２５、２５の移動をガイドするように構成されている。
【００３３】
以上、詳説するように他の実施例においては、回動ワイヤ７０をモータ５１により所定方向に引張り回動操作することにより、回動ワイヤ７０の中途部に介在連結したノズル基台１５を前後方向に移動させると共に、電動機５３により横移動体２５、２５を中途部に介在連結した操作ワイヤ８０を所定方向に引張り操作することにより左右の横移動体２５、２５をノズル基台１５上で前後レール８７、８７に沿って左右方向に近接離反作動させることができる。これにともない、横移動体２５、２５にそれぞれ装着した噴射ノズル３５も左右の横移動を行い、左右の噴射ノズル３５は上方に向けて立設され貯水槽１内の水中から可撓性シート５に向けて水又は湯を噴射し、横臥した人体に押圧を施しながら的確なつぼ位置での指圧、マッサージ治療を行う。
【００３４】
このように、回動ワイヤ７０と横移動体２５、２５との作動速度の制御をすることにより、いわゆる「つぼ」の位置や症状に応じて横臥した人体に対して噴射ノズルの動きの形態を制御することができることになり、マッサージ効果をデリケートに調整して最も効果的な施術が可能となる。
【００３５】
このようにモータ５１と電動機５３によって回動ワイヤ７０と操作ワイヤ８０を回動操作し、しかもモータ５１と電動機５３の作動タイミングや回転速度を制御することにより、回動ワイヤ７０を操作ワイヤ８０による横移動体２５、２５の最適の変位形態に制御する。なお、かかる回動ワイヤ７０や操作ワイヤ８０の回動制御は、モータ５１と電動機５３をステッピングモータによるインバータ制御により実施するものであり、具体的な制御は各種施療形態において異なる。
【００３６】
なお、必要に応じて本件発明のウォーターベッド構造の貯水槽１に低周波治療器やバブル発泡装置や遠赤外線治療器等の付属機器を付設することによりよい効果的なマッサージ治療を施術することができる。
【００３７】
なお、本発明は上述した実施形態等に限られず、上述した実施形態等の中で開示した各構成を相互に置換したり組み合わせを変更したりした構成、公知技術並びに上述した実施形態等の中で開示した各構成を相互に置換したり組み合わせを変更したりした構成、等も含まれる。
【符号の説明】
【００３８】
Ａ    ウォーターベッド
１    貯水槽
３    槽ケース
３ａ  開口部
５    可撓性シート
１０    基台レール
１５    ノズル基台
２５    横移動体
３５、５５  噴射ノズル
４１    噴射ホース
５１    モータ
５３    電動機
５７    ギヤ
７０    回動ワイヤ
７１    前ワイヤローラ
７２    後ワイヤローラ
７５    転動子
８０    操作ワイヤ
８１    第１ローラ
８２    第２ローラ
８３    第１ロープ転換ローラ
８４    第２ロープ転換ローラ
８５    折返しローラ
８６    滑動転子
８７    前後レール
【図１】
0006361919.tif 000002
【図２】
0006361919.tif 000003
【図３】
0006361919.tif 000004
【図４】
0006361919.tif 000005
【図５】
0006361919.tif 000006